【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
視感度最高色である第一色のサブ画素と第二色のサブ画素と視感度最低色である第三色のサブ画素とが行列状に配置され、
前記第一色のサブ画素と前記第二色のサブ画素とが交互に配列される行と、前記第一色のサブ画素と前記第三色のサブ画素とが交互に配列される行とが交互に配列され、
前記第一色のサブ画素と前記第二色のサブ画素とが交互に配列される列と、前記第一色のサブ画素と前記第三色のサブ画素とが交互に配列される列とが交互に配列されてなる画素配列構造の画素アレイであって、
前記第一色のサブ画素と前記第三色のサブ画素とが交互に配列される行の高さは、前記第一色のサブ画素と前記第二色のサブ画素とが交互に配列される行よりも高く、
前記第一色のサブ画素と前記第二色のサブ画素とが交互に配列される行の前記第一色のサブ画素と、前記第一色のサブ画素と前記第三色のサブ画素とが交互に配列される行の前記第一色のサブ画素とは、発光領域の面積が略等しく、
前記第一色のサブ画素、前記第二色のサブ画素及び前記第三色のサブ画素に電力を供給する電力供給線は、直線形状であり、
前記第一色のサブ画素、前記第二色のサブ画素及び前記第三色のサブ画素に制御信号を供給するデータ線は、屈曲形状であり、
前記第一色のサブ画素、前記第二色のサブ画素及び前記第三色のサブ画素は、有機ＥＬを含む発光素子と、前記データ線を介して供給される前記制御信号に対応するデータ電圧を蓄積する容量部と、前記データ電圧に対応する電流を前記発光素子に供給するトランジスタとを有する、ことを特徴とする有機ＥＬディスプレイ用の画素アレイ。
【請求項２】
前記第三色のサブ画素の発光領域の面積は、前記第一色のサブ画素と前記第二色のサブ画素とが交互に配列される行の前記第一色のサブ画素の発光領域の面積及び前記第一色のサブ画素と前記第三色のサブ画素とが交互に配列される行の前記第一色のサブ画素の発光領域の面積の和よりも大きい、ことを特徴とする請求項１に記載の画素アレイ。
【請求項３】
前記第一色のサブ画素と前記第二色のサブ画素とが交互に配列される行と、前記第一色のサブ画素と前記第三色のサブ画素とが交互に配列される行とは、サブ画素の構成要素のレイアウトが、列方向に延びる線に対して対称である、ことを特徴とする請求項１又は２に記載の画素アレイ。
【請求項４】
前記第三色のサブ画素の前記電力供給線は、前記第一色のサブ画素の前記電力供給線及び前記第二色のサブ画素の前記電力供給線よりも太い、ことを特徴とする請求項１乃至３のいずれか一に記載の画素アレイ。
【請求項５】
前記第一色のサブ画素と前記第二色のサブ画素とが交互に配列される行の前記第二色のサブ画素、及び、前記第一色のサブ画素と前記第三色のサブ画素とが交互に配列される行の前記第一色のサブ画素には、第１のデータ線を介して前記制御信号が供給され、
前記第一色のサブ画素と前記第二色のサブ画素とが交互に配列される行の前記第一色のサブ画素、及び、前記第一色のサブ画素と前記第三色のサブ画素とが交互に配列される行の前記第三色のサブ画素には、第２のデータ線を介して前記制御信号が供給される、ことを特徴とする請求項１乃至４のいずれか一に記載の画素アレイ。
【請求項６】
前記第１のデータ線及び前記第２のデータ線は、行毎にサブ画素の左側又は右側を交互に通過するように屈曲している、ことを特徴とする請求項５に記載の画素アレイ。
【請求項７】
前記第一色のサブ画素の前記発光領域は、矩形の四隅の角を削った形状である、ことを特徴とする請求項１乃至６のいずれか一に記載の画素アレイ。
【請求項８】
前記第二色のサブ画素の前記発光領域は、矩形の四隅の角を削った形状である、ことを特徴とする請求項１乃至７のいずれか一に記載の画素アレイ。
【請求項９】
前記第一色はＧ（Green）、前記第二色はＲ（Red）、前記第三色はＢ（Blue）である、ことを特徴とする請求項１乃至８のいずれか一に記載の画素アレイ。
【請求項１０】
請求項１乃至９のいずれか一に記載の画素アレイと、前記画素アレイを駆動する回路部と、を備える、ことを特徴とする電気光学機器。
【請求項１１】
サブ画素の前記発光領域が有機エレクトロルミネッセンス材料を塗布する際に用いるメタルマスクの開口部によって規定される、請求項１乃至９のいずれか一に記載の画素アレイと、前記画素アレイを駆動する回路部と、が基板上に形成された有機エレクトロルミネッセンス装置を表示装置として備える、ことを特徴とする電気機器。
【請求項１２】
視感度最高色である第一色のサブ画素と第二色のサブ画素と視感度最低色である第三色のサブ画素とが行列状に配置され、
前記第一色のサブ画素と前記第二色のサブ画素とが交互に配列される行と、前記第一色のサブ画素と前記第三色のサブ画素とが交互に配列される行とが交互に配列され、
前記第一色のサブ画素と前記第二色のサブ画素とが交互に配列される列と、前記第一色のサブ画素と前記第三色のサブ画素とが交互に配列される列とが交互に配列されてなる画素配列構造における画素レンダリング方法であって、
画素アレイに表示する画像は、各々のサブ画素に対して前記第一色、前記第二色及び前記第三色のデータを有し、
前記画素アレイに表示する画像の特異点に配置される所定のサブ画素における前記画像の前記第一色のデータに基づいて、前記所定のサブ画素に隣接するサブ画素の輝度を設定することとし、
前記画像のコーナー部分に前記第二色又は前記第三色のサブ画素が配置される場合、前記第二色又は前記第三色のサブ画素における前記画像の前記第一色のデータに基づいて、前記画像内で前記第二色又は前記第三色のサブ画素に隣接する２つの前記第一色のサブ画素の輝度を下げ、前記画像外で前記第二色又は前記第三色のサブ画素に隣接する２つの前記第一色のサブ画素の輝度を上げる、ことを特徴とする画素レンダリング方法。
【請求項１３】
視感度最高色である第一色のサブ画素と第二色のサブ画素と視感度最低色である第三色のサブ画素とが行列状に配置され、
前記第一色のサブ画素と前記第二色のサブ画素とが交互に配列される行と、前記第一色のサブ画素と前記第三色のサブ画素とが交互に配列される行とが交互に配列され、
前記第一色のサブ画素と前記第二色のサブ画素とが交互に配列される列と、前記第一色のサブ画素と前記第三色のサブ画素とが交互に配列される列とが交互に配列されてなる画素配列構造における画素レンダリング方法であって、
画素アレイに表示する画像は、各々のサブ画素に対して前記第一色、前記第二色及び前記第三色のデータを有し、
前記画素アレイに表示する画像の特異点に配置される所定のサブ画素における前記画像の前記第一色のデータに基づいて、前記所定のサブ画素に隣接するサブ画素の輝度を設定することとし、
前記画像の直線領域の境界部分に前記第二色又は前記第三色のサブ画素が配列される場合、前記第二色又は前記第三色のサブ画素における前記画像の前記第一色のデータに基づいて、前記画像内で前記第二色又は前記第三色のサブ画素に前記直線に直交する方向に隣接する前記第一色のサブ画素の輝度を下げ、前記画像外で前記第二色又は前記第三色のサブ画素に隣接する前記第一色のサブ画素の輝度を上げる、ことを特徴とする画素レンダリング方法。
【請求項１４】
視感度最高色である第一色のサブ画素と第二色のサブ画素と視感度最低色である第三色のサブ画素とが行列状に配置され、
前記第一色のサブ画素と前記第二色のサブ画素とが交互に配列される行と、前記第一色のサブ画素と前記第三色のサブ画素とが交互に配列される行とが交互に配列され、
前記第一色のサブ画素と前記第二色のサブ画素とが交互に配列される列と、前記第一色のサブ画素と前記第三色のサブ画素とが交互に配列される列とが交互に配列されてなる画素配列構造における画素レンダリング方法であって、
画素アレイに表示する画像は、各々のサブ画素に対して前記第一色、前記第二色及び前記第三色のデータを有し、
前記画素アレイに表示する画像の特異点に配置される所定のサブ画素における前記画像の前記第一色のデータに基づいて、前記所定のサブ画素に隣接するサブ画素の輝度を設定することとし、
前記画像が前記第一色の点の場合、
前記点に前記第二色又は前記第三色のサブ画素が配置される場合は、前記第二色又は前記第三色のサブ画素における前記画像の前記第一色のデータに基づいて、前記第二色又は前記第三色のサブ画素に隣接する４つの前記第一色のサブ画素の輝度を上げ、
前記点に前記第一色のサブ画素が配置される場合は、前記第一色のサブ画素における前記画像の前記第一色のデータに基づいて、前記第一色のサブ画素の輝度を下げると共に、前記第一色のサブ画素に斜め方向に隣接する４つの前記第一色のサブ画素の輝度を上げる、ことを特徴とする画素レンダリング方法。
【請求項１５】
視感度最高色である第一色のサブ画素と第二色のサブ画素と視感度最低色である第三色のサブ画素とが行列状に配置され、
前記第一色のサブ画素と前記第二色のサブ画素とが交互に配列される行と、前記第一色のサブ画素と前記第三色のサブ画素とが交互に配列される行とが交互に配列され、
前記第一色のサブ画素と前記第二色のサブ画素とが交互に配列される列と、前記第一色のサブ画素と前記第三色のサブ画素とが交互に配列される列とが交互に配列されてなる画素配列構造における画素レンダリング方法であって、
画素アレイに表示する画像は、各々のサブ画素に対して前記第一色、前記第二色及び前記第三色のデータを有し、
前記画素アレイに表示する画像の特異点に配置される所定のサブ画素における前記画像の前記第一色のデータに基づいて、前記所定のサブ画素に隣接するサブ画素の輝度を設定することとし、
前記画像が前記第二色又は前記第三色の点の場合、
前記点に前記第二色又は前記第三色のサブ画素が配置される場合は、前記第二色又は前記第三色のサブ画素における前記画像の前記第一色のデータに基づいて、前記第二色又は前記第三色のサブ画素の輝度を下げると共に、前記第二色又は前記第三色のサブ画素に行方向又は列方向に隣接する２つの前記第一色のサブ画素の輝度を上げ、
前記点に前記第一色のサブ画素が配置される場合は、前記第一色のサブ画素における前記画像の前記第一色のデータに基づいて、前記第一色のサブ画素の輝度を下げると共に、前記第一色のサブ画素に行方向又は列方向に隣接する２つの前記第二色又は前記第三色のサブ画素の輝度を上げる、ことを特徴とする画素レンダリング方法。
【請求項１６】
前記第一色はＧ（Green）、前記第二色はＲ（Red）、前記第三色はＢ（Blue）である、ことを特徴とする請求項１２乃至１５のいずれか一に記載の画素レンダリング方法。